(57)【要約】【課題】  吸液構造体から離間する離隔シートの連通部が狭くなるのを抑制することができる吸収性物品を提供する。【解決手段】  前後ウエスト弾性部材２０，２１によって、離隔シート３の両側部分３０，３１の横方向Ｘ外側に第１前後方伸縮領域４３，４４が形成される。第１前後方伸縮領域４３，４４は横方向Ｘに離間して形成され、これら第１前後方伸縮領域４３，４４の間には、前ウエスト弾性部材２０の伸縮力が作用しない前後方非伸縮領域４５，４６が形成される。前後ウエスト域７，８の吸液性パネル２３が重ならない部分では、前後ウエスト弾性部材２０，２１が一方のウエスト側縁部１４，１５から他方のウエスト側縁部１４，１５に亘って、横方向Ｘに伸長状態で取り付けられ、離隔シート３の前後端縁２７，２８の縦方向Ｙ外側には、第２前後方伸縮領域４７，４８がそれぞれ形成される。【選択図】図３
2009285196.tif 000002
【特許請求の範囲】
【請求項１】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域から離間可能に形成された離隔シートとを含む吸収性物品において、
前記離隔シートは、前記縦方向に延びるとともに前記横方向に対向する一対の両側部分と、前記両側部分の間に連なる中間部分と、前記前ウエスト域に位置し前記両側部分および前記中間部分によって形成され前記身体側と前記シャーシ側とを連通させる連通部と、前記縦方向に延びるとともに伸長状態で取り付けられ前記中間部分での間隔がもっとも狭くなる一対の離隔シート弾性部材とを含み、前記縦方向に対向して前記横方向に延びる前後端縁が前記前後ウエスト域の身体側に固着され、
前記吸液構造体は、前記縦方向に対向して前記横方向に延びる前後端縁を対向させるように湾曲することによって、前記離隔シートと前記吸液構造体との間に空隙を形成し、少なくとも前記中間部分が着用者の肌に接触可能に形成され、
前記前ウエスト域には、少なくとも前記離隔シートの前記両側部分の前記横方向外側に、前記横方向に伸縮可能な一対の第１前方伸縮領域が形成され、前記第１前方伸縮領域の間には、前方非伸縮領域が形成されることを特徴とする前記吸収性物品。
【請求項２】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域から離間可能に形成された離隔シートとを含む吸収性物品において、
前記離隔シートは、前記縦方向に延びるとともに前記横方向に対向する一対の両側部分と、前記両側部分の間に連なる中間部分と、前記前ウエスト域に位置し前記両側部分および前記中間部分によって形成され前記身体側と前記シャーシ側とを連通させる連通部と、前記縦方向に延びるとともに伸長状態で取り付けられ前記中間部分での間隔がもっとも狭くなる一対の離隔シート弾性部材とを含み、前記縦方向に対向して前記横方向に延びる前後端縁が前記前後ウエスト域の身体側に固着され、
前記吸液構造体は、前記縦方向に対向して前記横方向に延びる前後端縁を対向させるように湾曲することによって、前記離隔シートと前記吸液構造体との間に空隙を形成し、少なくとも前記中間部分が着用者の肌に接触可能に形成され、
前記前ウエスト域には、少なくとも前記離隔シートの前記両側部分の前記横方向外側に、前記横方向に伸縮可能な一対の第１前方伸縮領域が形成され、前記第１前方伸縮領域の間は、前記吸液構造体の身体側において前記横方向に対する伸縮力が実質的に作用しないことを特徴とする前記吸収性物品。
【請求項３】
前記後ウエスト域には、前記離隔シートの前記両側部分の前記横方向外側に、前記横方向に伸縮可能な一対の第１後方伸縮領域が形成され、前記第１後方伸縮領域の間には、後方非伸縮領域が形成される請求項１または２記載の吸収性物品。
【請求項４】
前記離隔シートの前記中間部分は、前記クロッチ域に位置し、
前記連通部は、前記中間部分から前記前端縁に向かって開口する前方連通部と、前記中間部分から前記後端縁に向かって開口する後方連通部とを含み、前記離隔シート弾性部材は、前記両側部分において前記縦方向に延びるとともに前記前後方連通部に沿って取り付けられる請求項１〜３のいずれかに記載の吸収性物品。
【請求項５】
前記前方非伸縮領域は、前記前方連通部の前記横方向において最大となる長さ寸法に対応する寸法を有し、前記後方非伸縮領域は、前記後方連通部の前記横方向において最大となる寸法に対応する寸法を有する請求項４記載の吸収性物品。
【請求項６】
前記第１前後方伸縮領域は、前記前後ウエスト域それぞれの前記縦方向の長さ寸法に対応する寸法を有する請求項１〜５のいずれかに記載の吸収性物品。
【請求項７】
前記離隔シート弾性部材は、前記前後ウエスト域のそれぞれにおいて前記第１前後方伸縮領域に重なる請求項１〜６のいずれかに記載の吸収性物品。
【請求項８】
前記離隔シートの前記前後端縁よりも前記縦方向外側において前記横方向に伸縮可能な第２前後方伸縮領域を形成する請求項１〜７のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、便および尿を通過させる開口部が形成されたシートをトップシートの上にさらに有するものとして、例えば特開２００７−１０５２９９号公報（特許文献１）が公知である。この特許文献１によれば、おむつはトップシートと、バックシートと、これらシート間に位置する吸収体と、トップシートの上部に配置されるスキンコンタクトシートとを有している。スキンコンタクトシートには、便通過用開口部と尿通過用開口部とを形成し、これら開口部間には中央領域が形成されている。スキンコンタクトシートには開口部伸縮材が伸長状態で取り付けられ、この開口部伸縮材の収縮力によってスキンコンタクトシートがトップシートから離間して、着用者の肌に接触するようにしている。スキンコンタクトシートを着用者の肌に接触させることによって、着用者に便等が付着するのを防止している。
【特許文献１】特開２００７−１０５２９９号公報
【発明の開示】
【発明が解決しようとする課題】
【０００３】
トップシートおよびバックシートの前後ウエスト域には、横方向に亘ってウエスト周り伸縮材が伸長状態で取り付けられている。このウエスト周り伸縮材の収縮によって、おむつを着用者のウエストに密着させる。しかし、この収縮によって、スキンコンタクトシートも横方向に収縮され、開口部が狭くなる。特に尿通路用開口部が狭くなれば、外性器に開口縁が接触し、肌トラブルを引き起こしかねない。
【０００４】
この発明では、吸液構造体から離間する離隔シートの連通部が狭くなるのを抑制することができる吸収性物品を提供することを課題とする。
【課題を解決するための手段】
【０００５】
この発明は、縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域から離間可能に形成された離隔シートとを含む吸収性物品の改良に関わる。
【０００６】
第１の発明は前記吸収性物品において、前記離隔シートが、前記縦方向に延びるとともに前記横方向に対向する一対の両側部分と、前記両側部分の間に連なる中間部分と、前記前ウエスト域に位置し前記両側部分および前記中間部分によって形成され前記身体側と前記シャーシ側とを連通させる連通部と、前記縦方向に延びるとともに伸長状態で取り付けられ前記中間部分での間隔がもっとも狭くなる一対の離隔シート弾性部材とを含む。前記縦方向に対向して前記横方向に延びる前後端縁が前記前後ウエスト域の身体側に固着される。前記吸液構造体は、前記縦方向に対向して前記横方向に延びる前後端縁を対向させるように湾曲することによって、前記離隔シートと前記吸液構造体との間に空隙を形成し、少なくとも前記中間部分が着用者の肌に接触可能に形成される。前記前ウエスト域には、少なくとも前記離隔シートの前記両側部分の前記横方向外側に、前記横方向に伸縮可能な一対の第１前方伸縮領域が形成され、前記第１前方伸縮領域の間には、前方非伸縮領域が形成されることを特徴とする。
【０００７】
第２の発明は前記吸収性物品において、前記離隔シートが、前記縦方向に延びるとともに前記横方向に対向する一対の両側部分と、前記両側部分の間に連なる中間部分と、前記前ウエスト域に位置し前記両側部分および前記中間部分によって形成され前記身体側と前記シャーシ側とを連通させる連通部と、前記縦方向に延びるとともに伸長状態で取り付けられ前記中間部分での間隔がもっとも狭くなる一対の離隔シート弾性部材とを含む。前記縦方向に対向して前記横方向に延びる前後端縁が前記前後ウエスト域の身体側に固着される。前記吸液構造体は、前記縦方向に対向して前記横方向に延びる前後端縁を対向させるように湾曲することによって、前記離隔シートと前記吸液構造体との間に空隙を形成し、少なくとも前記中間部分が着用者の肌に接触可能に形成される。前記前ウエスト域には、少なくとも前記離隔シートの前記両側部分の前記横方向外側に、前記横方向に伸縮可能な一対の第１前方伸縮領域が形成され、前記第１前方伸縮領域の間は、前記吸液構造体の身体側において前記横方向に対する伸縮力が実質的に作用しないことを特徴とする。
【０００８】
好ましい実施態様のひとつとして、前記後ウエスト域には、前記離隔シートの前記両側部分の前記横方向外側に、前記横方向に伸縮可能な一対の第１後方伸縮領域が形成され、前記第１後方伸縮領域の間には、後方非伸縮領域が形成される。
【０００９】
好ましい他の実施態様のひとつとして、前記離隔シートの前記中間部分は、前記クロッチ域に位置し、前記連通部は、前記中間部分から前記前端縁に向かって開口する前方連通部と、前記中間部分から前記後端縁に向かって開口する後方連通部とを含み、前記離隔シート弾性部材は、前記両側部分において前記縦方向に延びるとともに前記前後方連通部に沿って取り付けられる。
【００１０】
好ましい他の実施態様のひとつとして、前記前方非伸縮領域は、前記前方連通部の前記横方向において最大となる長さ寸法に対応する寸法を有し、前記後方非伸縮領域は、前記後方連通部の前記横方向において最大となる寸法に対応する寸法を有する。
【００１１】
好ましい他の実施態様のひとつとして、前記第１前後方伸縮領域は、前記前後ウエスト域それぞれの前記縦方向の長さ寸法に対応する寸法を有する。
【００１２】
好ましい他の実施態様のひとつとして、前記離隔シート弾性部材は、前記前後ウエスト域のそれぞれにおいて前記第１前後方伸縮領域に重なる。
【００１３】
好ましい他の実施態様のひとつとして、前記離隔シートの前記前後端縁よりも前記縦方向外側において前記横方向に伸縮可能な第２前後方伸縮領域を形成する。
【発明の効果】
【００１４】
シャーシの身体側に、シャーシから離間可能な離隔シートを形成し、離隔シートには、縦方向に延びるとともに伸長状態で取り付けられ、中間部分での間隔がもっとも狭くなる一対の離隔シート弾性部材を取り付けている。したがって、中間部分には、横方向の収縮力と縦方向の収縮力とが作用し、この中間部分がシャーシから離間して着用者の身体に接触する。中間部分が着用者に接触するので、連通部を介して尿や便を吸液構造体側に流入させることができ、着用者の身体に排泄物が付着するのを抑制することができる。
前ウエスト域には、離隔シートの両側部分の横方向外側に、前ウエスト弾性部材による第１前方伸縮領域が形成されることとしたので両側部分は横方向外側に向かって引っ張られる。したがって、両側部分の間に形成された連通部の横方向の寸法が狭くなることがなく、連通部が狭くなることによる着用者の肌トラブルを抑制することができる。また、第１前方伸縮領域の間には前方非伸縮領域、または実質的に収縮力が作用しない領域を形成することとしたので、連通部に前ウエスト弾性部材の伸縮力が作用することなく、連通部の形状の安定化を図ることができる。
【００１５】
後ウエスト域には、離隔シートの両側部分の横方向外側に、後ウエスト弾性部材による第１後方伸縮領域が形成されることとしたので、後ウエスト域においても、連通部の横方向の寸法が狭くなるのを抑制することができ、より一層着用者の肌トラブルを抑制することができ、連通部の形状の安定化を図ることができる。
【００１６】
連通部は、クロッチ域に位置する中間部分から前端縁に向かって開口する前方連通部と、中間部分から後端縁に向かって開口する後方連通部とを含み、離隔シート弾性部材は、前後方連通部に沿って取り付けられることとしたので、離隔シート弾性部材の収縮力によって、連通部の形状を維持することができる。したがって、連通部が狭くなることによって引き起こされる着用者の肌トラブルを抑制することができる。
【００１７】
前方非伸縮領域は、前方連通部の横方向において最大となる長さ寸法に対応する寸法を有し、後方非伸縮領域は、後方連通部の横方向において最大となる長さ寸法に対応する寸法を有することとしたので、前後方連通部が横方向に収縮させることなく、しかも前後方連通部の外側に位置する両側部分を横方向外側に引っ張ることができる。したがって、前後方連通部の形状の維持を図りながら、横方向の寸法が狭くなるのを抑制することができる。
【００１８】
第１前後方伸縮領域は、前後ウエスト域のそれぞれの縦方向の長さ寸法に対応する寸法を有することとしたので、前後ウエスト域全体で両側部分を外側に引っ張ることができる。すなわち、広い範囲で両側部分を外側に引っ張ることができ、より一層連通部の横方向の寸法が狭くなるのを抑制することが可能となる。
【００１９】
離隔シート弾性部材は、前後ウエスト域のそれぞれにおいて第１前後方伸縮領域に重なることとしたので、両側部分のみならず離隔シート弾性部材をも横方向外側に引っ張ることができる。したがって、離隔シート弾性部材が連通部の横方向の寸法が狭くなるように作用するような場合であっても、これを抑制することができる。
【００２０】
離隔シートの前後端縁よりも縦方向外側において横方向に伸縮可能な第２前後方伸縮領域を形成することとしたので、着用者のウエスト周り全体が横方向に伸縮可能となり、ウエストにおいてシャーシを着用者に密着させることができる。したがって、ウエストからの尿等の体液の漏れを抑制することができる。
【発明を実施するための最良の形態】
【００２１】
吸収性物品として使い捨ておむつを用い、本発明の一例を説明する。
【００２２】
＜第１の実施形態＞
図１〜４は第１の実施形態を示したものである。図１はおむつ１の着用状態を示した図である。図示したように、この実施形態のおむつはいわゆるプルオン・パンツ型のものである。おむつ１はシャーシ２と離隔シート３とを含む。シャーシ２はパンツ型に形成され、身体側内面５および着衣側外面６と、前ウエスト域７、後ウエスト域８および前記前後ウエスト域７，８間に位置するクロッチ域９を含んでいる。前ウエスト域７からクロッチ域９を通って後ウエスト域８へと向かう方向を縦方向Ｙとし、これに直交する方向を横方向Ｘとしている。シャーシ２は、内面シート１１と外面シート１２と、これら内外面シート１１，１２の間に介在する不透液性の漏れバリアシート１３と、内面シート１１に積層された吸液構造体１０とによって形成されている。
【００２３】
シャーシ２は前後ウエスト域７，８において、互いのウエスト側縁部１４，１５の対向面が重なり合い、間欠的に並ぶ複数の接合部１６において互いに接合されてシーム部が形成され、これによりプルオン・パンツ型に形成されている。
接合部１６でウエスト側縁部１４，１５が接合されることにより、前後ウエスト域７，８で囲まれた領域にウエスト開口１８が形成されるとともに、レッグ側縁部１７で囲まれた一対のレッグ開口１９が形成されている。ウエスト開口１８の周縁部に沿って複数条の前後ウエスト弾性部材２０，２１が延び、レッグ開口１９の周縁部に沿って複数条のレッグ弾性部材２２が延びている。それら弾性部材２０，２１，２２は、内面シート１１と外面シート１２との間にあり、これらシート１１，１２の少なくとも一方に接着剤（図示せず）を介して伸長状態で接合されている。
【００２４】
図２は図１のＩＩ−ＩＩ線断面図である。図２に示すように、内面シート１１の身体側内面５に吸液構造体１０として吸液性パネル２３が配置され、吸液構造体１０よりもさらに身体側に離隔シート３が配置されている。吸液性パネル２３は、縦方向Ｙに対向して、横方向Ｘに延びる前後端縁２３ａ，２３ｂを含む。
【００２５】
吸液性パネル２３は、クロッチ域９から縦方向Ｙに延びるとともに、前後ウエスト域７，８の内面シート１１に接合されている。吸液性パネル２３は、ティッシュペーパ等の吸液拡散シート２４で包まれる吸液性芯材２５と、吸液拡散シート２４をさらに覆う身体側ライナ２６とで形成されている。吸液性パネル２３の着衣側は外面シート１２の内側に配置された漏れバリアシート１３で被覆され、芯材２５に吸収された体液がおむつ１から漏れるのを防止する。漏れバリアシート１３は、吸液性パネル２３の底面に直接接合されることもある。内外面シート１１，１２は通気性かつ疎水性の不織布等で形成され、漏れバリアシート１３を介して接着剤、サーマルまたはウルトラソニックボンドにより互いに接合されている。
【００２６】
離隔シート３の前端縁２７と後端縁２８は、その近傍が接着剤、サーマルまたはウルトラソニックボンドにより身体側ライナ２６に接合されている。前端縁２７と後端縁２８とは、それぞれ前ウエスト域７および後ウエスト域８に位置している。図示したようなプルオン・パンツ型の状態においては、クロッチ域９が湾曲するとともに、後に説明する離隔シート弾性部材の収縮によって、離隔シート３は身体側ライナ２６から身体側に向かって図面上方向に離間している。離隔シート３の前後端縁２７，２８は身体側ライナ２６に接合されているので、離隔シート３全体はハンモックを吊り下げたような形状を有する。このような形状により、離隔シート３と吸液性パネル２３との間に空隙２９が形成される。
【００２７】
図３は図１の接合部１６における前後ウエスト域７，８の接合を解き、おむつ１を縦方向Ｙと横方向Ｘとに展開し、前後ウエスト域７，８とクロッチ域９とが同一平面上に位置するようにしたおむつ１の平面図であり、図４は図３の分解組立図である。おむつ１は、平面状になるように各弾性部材の伸縮力を作用させない状態を示している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。
【００２８】
シャーシ２はウエスト側縁部１４，１５とこれらウエスト側縁部１４，１５の間に位置するレッグ側縁部１７とを有している。レッグ側縁部１７が縦中心線Ｐ−Ｐに向かって凸となるように湾曲することによって、シャーシ２はほぼ砂時計型に形成されている。
内外面シート１１，１２の間には、前後ウエスト弾性部材２０，２１と、レッグ弾性部材２２が取り付けられている。前ウエスト弾性部材２０は、前ウエスト域７の縦方向Ｙの全域に亘ってほぼ等間隔で複数条取り付けられ、前ウエスト域７の一方のウエスト側縁１４から他方のウエスト側縁１４に亘って延び、横方向Ｘに伸長状態で取り付けられている。後ウエスト弾性部材２１は、後ウエスト域８の縦方向Ｙの全域に亘ってほぼ等間隔で複数条取り付けられ、一方のウエスト側縁１５から他方のウエスト側縁１５に亘って延び、横方向Ｘに伸長状態で取り付けられている。
【００２９】
内面シート１１の身体側には、吸液性パネル２３を積層し、さらに吸液性パネル２３の身体側内面には離隔シート３を積層している。吸液性パネル２３と離隔シート３とはその縦方向Ｙの長さ寸法がほぼ同じであって、これら吸液性パネル２３および離隔シート３は、内外面シート１１，１２の縦方向Ｙの長さ寸法よりも短くなるようにしている。吸液性パネル２３の吸液性芯材２５はこれを包む身体側ライナ２６よりも縦方向Ｙの長さ寸法が短くなるようにしている。したがって、吸液性パネル２３の前後端縁２３ａ，２３ｂには吸液芯材２５が含まれない領域が形成される。
【００３０】
離隔シート３は、横方向Ｘに対向する両側部分３０，３１と両側部分３０，３１の間に連なる中間部分３２とを有し、中間部分３２はクロッチ域９に位置している。両側部分３０，３１および中間部分３２によって前後方連通部３３，３４を形成している。前方連通部３３は、中間部分３２から前ウエスト域７に向かって開口してほぼＵ字形を形成し、後方連通部３４は、中間部分３２から後ウエスト域８に向かって開口しほぼＵ字形を形成している。前方連通部３３は、両側部分３０，３１に位置する両内側縁３５と、これら両内側縁３５をつなぐ湾曲した閉鎖縁３６とによって画成される。後方連通部３４は両側部分３０，３１に位置する両内側縁３７と、これら両内側縁３７に連なる湾曲した閉鎖縁３８とによって画成される。
【００３１】
離隔シート３には、前後方連通部３３，３４に沿って縦方向Ｙに延びる一対の離隔シート弾性部材３９を伸長状態で取り付けている。離隔シート弾性部材３９は縦中心線Ｐ−Ｐを挟んでほぼ対称に取り付けられ、中間部分３２において縦中心線Ｐ−Ｐに向かって湾曲している。このように湾曲することによって、離隔シート弾性部材３９の間隔が中間部分３２において最も狭くなるようにしている。離隔シート３は、両側部分３０，３１が吸液性パネル２３側に折り返されて二枚重ねになっている。この二枚重ねになった両側部分３０，３１の間に離隔シート弾性部材３９を図示しない接着剤によって接合している。
【００３２】
離隔シート３は、クロッチ域９から前後ウエスト域７，８に向かって延び、その両側部分３０，３１で折り返された部分を吸液性パネル２３の身体側ライナ２６に図示しない接着剤を介して接合し、第１前後方接合部４０，４１を形成している。第１前後方接合部４０，４１は、少なくとも前後端縁２７，２８に形成され、好ましくは前後ウエスト域７，８それぞれの縦方向Ｙに亘って延び、クロッチ域９には存在しない。吸液性パネル２３は、内面シート１１に第２接合部４２を介して接合されている。第２接合部４２は、吸液性パネル２３の前端縁２３ａから後端縁２３ｂに亘って、すなわち前後ウエスト域７，８およびクロッチ域９の全域に亘って延びるとともに、前後ウエスト域７，８においては、第１前後方接合部４０，４１と重なるように形成されている。
【００３３】
前後ウエスト弾性部材２０，２１によって、離隔シート３の両側部分３０，３１の横方向Ｘ外側に第１前後方伸縮領域４３，４４が形成される。両側部分３０，３１の前端縁２７は前ウエスト域７にまで延び、前ウエスト弾性部材２０は一方のウエスト側縁部１４から側部分３０まで、他方のウエスト側縁部１４から側縁部３１まで伸長状態で取り付けられている。すなわち、前ウエスト弾性部材２０はウエスト側縁部１４から第１前方接合部４０および第２接合部４２を超えて前方連通部３３の内側縁３５まで延びている。同様に、両側部分３０，３１の後端縁２８は後ウエスト域８にまで延び、後ウエスト弾性部材２１は一方のウエスト側縁部１５から側部分３０まで、他方のウエスト側縁部１５から側部分３１まで伸長状態で取り付けられている。すなわち、後ウエスト弾性部材２１はウエスト側縁部１５から第１後方接合部４１および第２接合部４２を超えて後方連通部３４の内側縁３７まで延びている。このように両側部分３０，３１の横方向Ｘ外側に前後ウエスト弾性部材２０，２１が取り付けられることによって、これら前後ウエスト弾性部材２０，２１の伸縮力が作用し、それぞれ一対の第１前後方伸縮領域４３，４４が形成される。
【００３４】
第１前方伸縮領域４３は横方向Ｘに離間して形成され、これら第１前方伸縮領域４３の間には、前ウエスト弾性部材２０の伸縮力が作用しない前方非伸縮領域４５が形成される。同様に第１後方伸縮領域４４も横方向Ｘに離間して形成されるので、これら第１後方伸縮領域４４の間にも、後ウエスト弾性部材２１の伸縮力が作用しない後方非伸縮領域４６が形成される。前方非伸縮領域４５は、前方連通部３３の内側縁３５の横方向Ｘの間隔が最大となる長さ寸法とほぼ同じ長さ寸法となるようにして前方連通部３３に重なる位置に形成される。同様に、後方非伸縮領域４６は、後方連通部３４の内側縁３７の横方向Ｘの間隔が最大となる長さ寸法と同じ長さ寸法となるようにして後方連通部３４に重なる位置に形成される。したがって、例えば前後方連通部３３，３４が前後端縁２７，２８に向かってその内側縁３５，３７の間隔が狭くなるように形成されている場合であっても、前後方非伸縮領域４５，４６は、これら内側縁３５，３７の間隔が最大となった長さ寸法に対応させた長さ寸法になる。
【００３５】
前後ウエスト域７，８において吸液性パネル２３が重ならない部分では、前後ウエスト弾性部材２０，２１が一方のウエスト側縁部１４，１５から他方のウエスト側縁部１４，１５に亘って、横方向Ｘに伸長状態で取り付けられる。したがって、離隔シート３の前後端縁２７，２８の縦方向Ｙ外側、言い換えれば吸液性パネル２３の前後端縁２３ａ，２３ｂの縦方向Ｙ外側には、第２前後方伸縮領域４７，４８がそれぞれ形成される。ただし、吸液性パネル２３であって吸液性芯材２５が存在しない領域においては、一部前後ウエスト弾性部材２０，２１が重なるようにしている。このように吸液性パネル２３の前後端縁２３ａ，２３ｂの一部に前後ウエスト弾性部材２０，２１を取り付けることによって、吸液性パネル２３が着用者の肌から浮き上がるのを抑制している。
【００３６】
第１前後方伸縮領域４３，４４は、前後ウエスト域７，８において横方向Ｘの図面左右に分断され、ウエスト側縁部１４，１５に沿って縦方向Ｙに延びている。第２前後方伸縮領域４７，４８は、ウエスト開口に沿って横方向Ｘに延びるとともに、少なくとも吸液性パネル２３の前後端縁２３ａ，２３ｂの縦方向Ｙ外側に位置する。この実施形態では、第２前後方向伸縮領域４７，４８は前後ウエスト域７，８の一方のウエスト側縁部１４，１５から他方のウエスト側縁部１４，１５にまで延びていて、第１前後方伸縮領域４３，４４と接する、または重複していると理解することができる。
【００３７】
上記のように取り付けられた前後ウエスト弾性部材２０，２１において、第１前後方伸縮領域４３，４４、前後方非伸縮領域４５，４６および第２前後方伸縮領域４７，４８は以下のようにして形成される。すなわち、前後ウエスト弾性部材２０，２１は内外面シート１１，１２の少なくともいずれか一方に接着剤によって伸長状態で取り付けられる。このとき前後ウエスト弾性部材２０，２１は、伸縮領域および非伸縮領域の区別なく、前後ウエスト域７，８の全面に亘って一方のウエスト側縁部１４，１５から他方のウエスト側縁部１４，１５へと取り付けられる。ただし、前後方非伸縮領域４５，４６に対応する部分においては、接着剤は塗布されない。この接着剤が塗布されていない部分において前後ウエスト弾性部材２０，２１を切断または除去することによって、前後ウエスト弾性部材２０，２１の収縮力が作用しない前後方非伸縮領域４５，４６を形成し、前後方非伸縮領域４５，４６以外の領域で第１前後方伸縮領域４３，４４および第２前後方伸縮領域４７，４８を形成することができる。このように伸長状態で取り付けられた弾性部材２０，２１を切断等するだけで、伸縮領域および非伸縮領域を容易かつ低コストで形成することができる。
【００３８】
上記のようなおむつ１を着用すると、離隔シート弾性部材３９の収縮力によって、離隔シート３が吸液性パネル２３から着用者側に浮き上がって、離隔シート３と吸液性パネル２３との間に空隙２９を形成する。離隔シート３のクロッチ域９には中間部分３２が形成されているので、離隔シート３が浮き上がることによって、中間部分３２が着用者の股下部分に接触する。そして、前方連通部３３に着用者の外性器が位置し、前方連通部３３を介して空隙２９に排尿が可能となる。後方連通部３４には肛門が位置し、後方連通部３４を介して空隙２９に排便が可能となる。排泄物の水分は、吸液性パネル２３によって吸収され、便等の固形分は離隔シート３によって肌に付着するのが抑制される。したがって、便が肌に付着することによる肌トラブルを抑制することができる。
【００３９】
おむつ１の着用状態においては、第１前後方伸縮領域４３，４４の収縮力によって、内面シート１１に接合された吸液性パネル２３が第２接合部４２を介して横方向Ｘに引っ張られる。吸液性パネル２３には第１前後方接合部４０，４１を介して離隔シート３の両側部分３０，３１が接合されているから、これら両側部分３０，３１も横方向Ｘ外側に引っ張られる。第１前後方伸縮領域４３，４４の間に形成された前後方非伸縮領域４５，４６には前後方ウエスト弾性部材２０，２１の収縮力が作用しないから、この前後方非伸縮領域４５，４６が横方向Ｘに収縮することはない。したがって、前後方非伸縮領域４５，４６に位置する前後方連通部３３，３４の間隔が狭くなることがなく、この形状を安定して維持することができる。前後方連通部３３，３４の間隔が狭くなることがないので、特に前方連通部３３において外性器に対する肌トラブルを抑制することができる。また後方連通部３４においては便の通過を妨げることがなく、確実に便を空隙２９に誘導することができるので、離隔シート３の着用者側に便が付着するのを防止することができ、肌トラブルを抑制することができる。
【００４０】
前後方非伸縮領域４５，４６においては、吸液性パネル２３にも横方向Ｘの収縮力が作用しない。したがって、吸液性パネル２３の皺の発生を抑制することができる。吸液性パネル２３に皺が発生すると、尿などの漏れを引き起こす可能性があり、これを抑制することができる。吸液性パネル２３の吸液性芯材２５が存在しない領域に前後ウエスト弾性部材２０，２１が重なり、第２前後方伸縮領域４７，４８を形成しているので、吸液性パネル２３を身体側に密着させることができるとともに、剛性が高く嵩高になる吸液性芯材２５に皺が発生するのを抑制することができる。
【００４１】
前後方非伸縮領域４５，４６は、前後方連通部３３，３４の横方向Ｘの長さ寸法と同じ寸法にしているが、これに限ったものではない。第１前後方伸縮領域４３，４４が少なくとも両側部分３０，３１の横方向Ｘ外側に位置し、この第１前後方伸縮領域４３，４４によって、両側部分３０，３１が横方向Ｘに引っ張られれば、前後方非伸縮領域４５，４６および第１前後方伸縮領域４３，４４の寸法は適宜変更することが可能である。この実施形態では、前後方非伸縮領域４５，４６として約４０ｍｍ以上の横方向Ｘの長さ寸法を有している。
【００４２】
前後方非伸縮領域４５,４６として、前後ウエスト弾性部材２０，２１の収縮力が作用しない場合について説明しているが、吸液性パネル２３の身体側に対して収縮力が実質的に作用しないものであってもよい。「収縮力が実質的に作用しない」とは、前後方非伸縮領域４５，４６にウエスト弾性部材が存在していても吸液性パネル２３の剛性によってその収縮力が着用者側にほとんど作用しない、または作用し難い場合や、ウエスト弾性部材が切断されることによって収縮力を発現しない場合等が含まれる。
第１前後方伸縮領域４３，４４はウエスト側縁部１４，１５の縦方向Ｙに亘って形成されているが、必ずしもこの態様に限ったものではなく、ウエスト開口側にのみ、またはクロッチ域９側にのみ、一部形成されていてもよい。また、第１前後方伸縮領域４３，４４が縦方向Ｙに分断されて形成されるようにしてもよい。
【００４３】
離隔シート３の前後端縁２７，２８の縦方向Ｙ外側には、前後ウエスト弾性部材２０，２１によって、第２前後方伸縮領域４７，４８が形成されているので、ウエスト開口１８においてはおむつ１を着用者に密着させることができ、ウエスト開口１８からの尿等の漏れを抑制することができる。
【００４４】
離隔シート３には離隔シート弾性部材３９が取り付けられ、離隔シート弾性部材３９は中間部分３２でその離間距離が最小となるように湾曲しているので、中間部分３２では、横方向Ｘの収縮力と縦方向Ｙの収縮力とが作用する。このように収縮力が作用することによって、特に中間部分３２が吸液性パネル２３から身体側への離間距離が大きくなり、中間部分３２を着用者へと接触させることができる。
【００４５】
離隔シート弾性部材３９は、中間部分３２でその離間距離を最小としているが、これらが横方向Ｘに離間することによって、離隔シート３の横方向Ｘ外側への引っ張りを可能としている。例えば、離隔シート弾性部材３９が中間部分３２で交差して縦方向Ｙに延びている場合には、一方の弾性部材を横方向Ｘ外側に引っ張ると他方の弾性部材も追従して移動してしまい、互いを離間させるように横方向Ｘ外側に引っ張ることができない。したがって、離隔シート弾性部材３９は中間部分３２において交差させることなく、離間させて取り付けている。離隔シート弾性部材３９は、横方向Ｘ外側にそれぞれ引っ張ることができればよいので、これらの離間距離を制限するものではない。ただし、離隔シート弾性部材３９の離間距離は、シャーシ２の横方向Ｘの長さ寸法の２．７％〜１１％であることが好ましく、例えば約９．９ｍｍ〜４０ｍｍとすることができる。離間距離が２．７％よりも短い場合には、前後方連通部３３，３４が横方向Ｘに狭くなる傾向があり、１１％よりも長い場合には、吸液性パネル２３からの中間部分３２の離間距離が短くなる傾向にある。
【００４６】
離隔シート弾性部材３９が前後ウエスト弾性部材２０，２１に重なるようにしているので、前後ウエスト弾性部材２０，２１が横方向Ｘに収縮すれば、離隔シート弾性部材３９も横方向Ｘに引っ張られる。したがって、より一層前後方連通部３３，３４の横方向Ｘに狭くなるのを抑制することができる。
前後ウエスト弾性部材２０，２１および離隔シート弾性部材３９として、糸状のゴムひもを用いているが、帯状のゴム等、一般的な弾性部材を用いることができる。
【００４７】
＜第２の実施形態＞
図５は第２の実施形態について示したおむつ１の展開平面図であり、図６は図５のＶＩ−ＶＩ線端面図である。このおむつ１はいわゆるオープン型のものである。この実施形態において、第１の実施形態と同様の構成要素には第１の実施形態と同じ符号を用い、その詳細な説明を省略する。図示したようにおむつ１はシャーシ２と離隔シート３とを含み、シャーシ２は、略矩形の内外面シート１１，１２と、前ウエスト域７に位置する前フラップ５１と、後ウエスト域８に位置する後フラップ５２と、クロッチ域９に位置し前後ウエスト域７，８に延びる吸液構造体１０とを含む。
【００４８】
吸液構造体１０は、内外面シート１１，１２の間に介在し、第１の実施形態と同様に吸液性パネル２３を含む。吸液性パネル２３は吸液性芯材２５と、吸液性芯材２５を包む吸液拡散シート２４と、吸液拡散シート２４の着衣側に位置する漏れバリアシート５３とを含む。漏れバリアシート５３の着衣側には外面シート１２が接合され、内面シート１１の身体側には直接離隔シート３が取り付けられる。
【００４９】
内外面シート１１，１２の間には、前後フラップ５１，５２の内側縁５５，５６を接合し、これら前後フラップ５１，５２が横方向Ｘ外側に延びて取り付けられている。前後フラップ５１，５２は伸縮性シートで形成され、少なくとも横方向Ｘに伸縮可能に取り付けられている。後フラップ５２の着衣側には、係合部材５７を接合し、この係合部材５７を前フラップ５１の着衣側に係合させることによって、おむつ１を着用者に着用させる。この前後フラップ５１，５２によって第１前後方伸縮領域４３，４４を形成している。
【００５０】
前後フラップ５１，５２の内側縁５５，５６は、離隔シート３の両側部分３０，３１とは離間して形成され、前後フラップ５１，５２が離隔シート３とは重ならない位置関係にしている。ただし、前後フラップ５１，５２と離隔シート３とが重ならない構成に限定されるものではなく、これらが重なっているものであってもよい。
横方向Ｘに離間する第１前方伸縮領域４３の間には、前フラップ５１の収縮力が作用しない前方非伸縮領域４５が形成され、第１後方伸縮領域４４の間には後フラップ５２の収縮力が作用しない後方非伸縮領域４６が形成される。すなわち前後方非伸縮領域４５，４６には、前後フラップ５１，５２が位置せず、これら前後フラップ５１，５２の伸縮力が作用しないようにしている。前後フラップ５１，５２の内側縁５５，５６が離隔シート３に重ならないように形成されることによって、前フラップ５１間および後フラップ５２間の離間距離を大きくすることができ、前後方非伸縮領域４５，４６の横方向Ｘの長さ寸法を大きくすることができる。
【００５１】
離隔シート弾性部材３９は、両側部分３０，３１において前後方連通部３３，３４に沿って縦方向Ｙに延びるとともに、中間部分３２において湾曲し離間距離が最も短くなるようにしている。離隔シート弾性部材３９は、クロッチ域９から前後ウエスト域７，８に向かって延びているが、前後フラップ５１，５２には重ならないように取り付けられている。離隔シート弾性部材３９は、離隔シート３を吸液性パネル２３から身体側に離間させるためのものであるので、必ずしもその前後端が前後ウエスト域７，８と重なっている必要はない。
【００５２】
このようなおむつ１を着用者に着用させるときには、接合部材５７を引っ張って後フラップ５２を伸長させた状態で、この接合部材５７を前フラップ５２に接合する。したがって、前後フラップ５１，５２には収縮力が作用する。このように着用時において前後フラップ５１，５２によって収縮力が作用することによって、第１前後方伸縮領域４３，４４が形成される。第１前後方伸縮領域４３，４４によって両側部分３０，３１が横方向Ｘ外側に引っ張られるので、前後方連通部３３，３４の横方向Ｘの距離が狭くなることがなく、着用者の肌トラブルを抑制することができる。
前後フラップ５１，５２によって前後方非伸縮領域４５，４６を形成することができるので、特別な部材や作業を必要とせず、コスト上昇を抑制することができる。
【００５３】
この発明において、離隔シート３の身体側にさらに一対の漏れ防止カフを形成してもよい。漏れ防止カフとしては一般的なものを用いることができる。漏れ防止カフを形成することによって、尿等の漏れを防止することができるとともに、漏れ防止カフと離隔シート３の両側部分３０，３１とを接合することによって、前後方連通部３３，３４が狭くならないようにその形状維持を図ることも可能である。
【００５４】
離隔シート弾性部材３９は、中間部分３２において湾曲させてこれら横方向Ｘの離間距離が最も短くなるようにしているが、中間部分３２での離間距離が最も短くなれば必ずしも湾曲させる必要がなく、例えば離隔シート弾性部材３９を直線状に取り付けるようにしてもよい。この場合には、離隔シート弾性部材３９は中間部分３２から前後ウエスト域７，８に向かって離間距離を大きくするように傾斜させることができる。
【００５５】
前後ウエスト域７，８のいずれにも伸縮領域および非伸縮領域を形成することとしたが、少なくとも前ウエスト域７に形成する。前方連通部３３が着用者の外性器に接触することによる肌トラブルを抑制するためには、前方連通部３３が位置する前ウエスト域７側で、横方向Ｘの寸法が狭くなるのを防ぐ必要があるからである。後ウエスト域８にも伸縮領域および非伸縮領域を形成することによって、離隔シート３全体を横方向Ｘの外側に引っ張ることができ、より一層着用者の肌トラブルを抑制することができる。
【００５６】
離隔シート３には前後方連通部３３，３４を形成しているが、前ウエスト域７に位置する連通部を形成していればよい。ただし、後ウエスト域８に位置する連通部をも形成することによって、尿と便とを別々に吸液性パネル２３側に導くことができる。また、中間部分３２の吸液性パネル２３側に空隙２９を前後に隔てるシートを取り付けても良い。このように空隙２９を隔てることによって、空隙２９に排泄された尿と便とが混ざってしまうのを抑制することができる。
【００５７】
離隔シート３は液抵抗性かつ通気性の不織布等、内面シート１１および外面シート１２は通気性不織布等、漏れバリアシート１３は透湿性のプラスチックフィルム等、吸液性パネル２３はフラッフパルプと高吸収性ポリマー粒子との混合物等、それぞれ当技術分野の慣用素材を用いることができる。
【００５８】
第１の実施形態ではプルオン・パンツ型のおむつを用いて説明し、第２の実施形態ではオープン型のおむつを用いて説明したが、ウエスト弾性部材で前後ウエスト域を弾性化した第１の実施形態のタイプをオープン型のおむつに適用してもよいし、前後フラップで前後ウエスト域を弾性化した第２の実施形態のタイプをプルオン・パンツ型に適用してもよい。
【図面の簡単な説明】
【００５９】
【図１】第１の実施形態のおむつの斜視図。
【図２】図１のＩＩ−ＩＩ線端面図。
【図３】おむつの展開平面図。
【図４】おむつの分解組立図。
【図５】第２の実施形態の展開平面図。
【図６】図５のＶＩ−ＶＩ線端面図。
【符号の説明】
【００６０】
１    おむつ
２    シャーシ
３    離隔シート
７    前ウエスト域
８    後ウエスト域
９    クロッチ域
２０    前ウエスト弾性部材
２１    後ウエスト弾性部材
２３    吸液性パネル
３０    側部分
３１    側部分
３２    中間部分
３３    前方連通部
３４    後方連通部
３９    離隔シート弾性部材
４３    第１前方伸縮領域
４４    第１後方伸縮領域
４５    前方非伸縮領域
４６    後方非伸縮領域
４７    第２前方伸縮領域
４８    第２後方伸縮領域
５１    前フラップ
５２    後フラップ
【図１】
2009285196.tif 000003
【図２】
2009285196.tif 000004
【図３】
2009285196.tif 000005
【図４】
2009285196.tif 000006
【図５】
2009285196.tif 000007
【図６】
2009285196.tif 000008